(57)【要約】【課題】本発明は、寝具用枕に内蔵される内蔵物が内蔵されている場合には寝具用枕として使用でき、内蔵物が寝具用枕から取り出された場合には、取り出された内蔵物及び内蔵物を取り出した後の寝具用枕がそれぞれ他の用途に使用できる組合せ寝具用枕を提供することを目的とする。【解決手段】本発明に係る組合せ寝具用枕は、馬蹄形状の内蔵枕３０と、前記内蔵枕３０が収納可能な収納空間部２１を備えた枕本体２０とからなり、枕本体２０に内蔵枕３０を収納して寝具用枕として使用するほか、内蔵枕３０は首枕として使用でき、枕本体２０は腰枕として使用できることを特徴とする。【選択図】  図２
2017176433.tif 000002
【特許請求の範囲】
【請求項１】
馬蹄形状の内蔵枕と、
前記内蔵枕が収納可能な収納空間部を備えた矩形の枕本体とからなる
ことを特徴とする組合せ寝具用枕。
【請求項２】
前記枕本体は、前記収納空間部から前記内蔵枕が出入可能な開口部を備えてなる
ことを特徴とする請求項１に記載の組合せ寝具用枕。
【請求項３】
前記収納空間部は、水平断面視において、馬蹄形状の凹部により形成され、その中央部に柱部が起立形成され、前記凹部及び柱部により前記馬蹄形状の内蔵枕が嵌まり込む馬蹄形状の空間をなす
ことを特徴とする請求項１又は２に記載の組合せ寝具用枕。
【請求項４】
前記柱部は、前記枕本体の長手方向中央部に位置している
ことを特徴とする請求項３に記載の組合せ寝具用枕。
【発明の詳細な説明】
【技術分野】
【０００１】
本発明は、組合せ寝具用枕に関し、特に腰枕として使用できる枕本体と首枕として使用できる内蔵枕とに分解可能な組合せ寝具用枕に関する。
【背景技術】
【０００２】
従来の寝具用枕は、その内部に種々の内蔵物が収納されているものが開発されている。その内蔵物としては、枕の高さを調整するためのクッション材や睡眠中に音楽を聴くことができる音響発生装置が知られている。
【発明の概要】
【発明が解決しようとする課題】
【０００３】
しかしながら、従来の寝具用枕に収納されている内蔵物は、あくまでその内蔵物が収納されることによって寝具用枕として使用するものであり、寝具用枕から取り出した内蔵物がそれ自体で使用できたり、内蔵物を取り出した寝具用枕が他の用途に使用できるような寝具用枕の開発はなされていない。
【０００４】
そこで、本発明者は、鋭意研究を重ね、内蔵物が内蔵されている状態においては寝具用枕として使用でき、内蔵物が寝具用枕から取り出された場合には、取り出された内蔵物及び内蔵物を取り出した後の寝具用枕がそれぞれ他の用途に使用できる組合せ寝具用枕を開発した。
【課題を解決するための手段】
【０００５】
本発明の請求項１に係る組合せ寝具用枕は、馬蹄形状の内蔵枕と、前記内蔵枕が収納可能な収納空間部を備えた矩形の枕本体とからなることを特徴とするものである。
【０００６】
また、請求項２に係る組合せ寝具用枕は、前記請求項１の組合せ寝具用枕の構成に加えて、前記枕本体は、前記収納空間部から前記内蔵枕が出入可能な開口部を備えてなることを特徴とするものである。
【０００７】
さらに、請求項３に係る組合せ寝具用枕は、前記請求項１又は２の組合せ寝具用枕の構成に加えて、前記収納空間部は、水平断面視（枕の中間高さの位置において水平方向に切断した断面を見た場合）において、馬蹄形状の凹部により形成され、その中央部に柱部が起立形成され、前記凹部及び柱部により前記馬蹄形状の内蔵枕が嵌まり込む馬蹄形状の空間をなすことを特徴とするものである。
【０００８】
さらにまた、請求項４に係る組合せ寝具用枕は、前記請求項３の組合せ寝具用枕の構成に加えて、前記柱部は、前記枕本体の長手方向中央部に位置している
【発明の効果】
【０００９】
上記のように組合せ寝具用枕を構成したことにより、内蔵枕が収納されているときは寝具用枕として使用でき、当該寝具用枕から内蔵枕を取り出したときは、当該内蔵枕は首枕として使用でき、かつ、内蔵枕を取り出した後の寝具用枕は腰枕として使用できる。
【００１０】
したがって、例えば当該組合せ寝具用枕を日常使用する枕として使用していれば、旅行などで枕が変わると睡眠が妨げられる人にとっては、旅行に際して当該組合せ寝具用枕を持参していると寝具用枕として使用できることはもちろん、旅行中に列車やバスなどに長時間乗車しているときなどに、内蔵枕を取り出して首枕として使用し、また、内蔵枕を取り出した後の枕本体を腰枕として使用することができるので極めて便利である。
【図面の簡単な説明】
【００１１】
【図１】本発明の実施例１に係る組合せ寝具用枕の概略斜視図である。
【図２】本発明の実施例１に係る組合せ寝具用枕の分解斜視図である。
【図３】本発明の実施例１に係る組合せ寝具用枕の枕本体の内部構造を示す一部切欠斜視図である。
【図４】本発明の実施例１に係る組合せ寝具用枕を枕本体と内蔵枕とに分解して使用した状態を示す概略斜視図である。
【発明を実施するための形態】
【００１２】
以下、本発明に係る組合せ寝具用枕について、添付の図面に基づき詳細に説明する。
【実施例１】
【００１３】
図１に示す組合せ寝具用枕１０は、枕本体２０とその内部に収納された内蔵枕３０とから構成される。
【００１４】
枕本体２０に収納されている内蔵枕３０は、図２に示すように、人の首の周りに装着できる馬蹄形状、例えばリング型の一部の個所を切り落としたような、両端部３１ａ、３１ｂが近接し、中央開口部３２を有するリング形状をなしている。内蔵枕３０は、中材として、例えばポリエステル綿、発泡ビーズ、ウレタンフォーム、パイプなどの一般的に枕の中材として使用される素材を使用し、天然系又は合成系の糸を使用したストレッチ性のあるニット生地により馬蹄形状の袋を形成し、当該袋に前記中材を封入することにより構成される。
【００１５】
枕本体２０は矩形をなし、その長手方向（図２において右斜め方向）中央部に、図２に示すように、前記内蔵枕３０が収納可能な収納空間部２１を備えており、当該収納空間部２１から前記内蔵枕３０を取り出したり、当該収納空間部２１に前記内蔵枕３０を押し入れたりできる開口部２２を備え、当該開口部２２には、これを開閉するファスナー２２’が設けられている。当該収納空間部２１は、枕本体２０の長手方向の長さの３分の１〜３分の２の長さ、及び、枕本体２０の短手方向（図２において左斜め方向）の長さの３分の２〜４分の３の長さの領域に位置する。
【００１６】
枕本体２０の内部構造は、図３に示すように、その収納空間部２１が、水平断面視において、馬蹄形状の凹部２１’により形成され、当該凹部２１’の中央部、すなわち枕本体２０の長手方向中央部に柱部２３が起立形成されている。そして、馬蹄形状の凹部２１’に内蔵枕３０の馬蹄形状が嵌まり込み、柱部２３が内蔵枕３０の中央開口部３２に嵌まり込むように構成されている。枕本体２０は、中材として、例えばポリエステル綿、発泡ビーズ、ウレタンフォーム、パイプなどの一般的に枕の中材として使用される素材を使用し、天然系又は合成系の糸を使用したストレッチ性のあるニット生地により図３に示す形態の内部に収納空間部２１が形成される袋を形成し、当該袋に前記中材を封入することにより構成される。
【００１７】
したがって、枕本体２０は、図３に示すように、短手方向の上端部側は凹部が形成されていない連続部２４であり、枕本体２０の長手方向中央部において、前記連続部２４に柱部２３が短手方向に連続することになる。
【００１８】
以上の構成を有する組合せ寝具用枕１０は、枕本体２０に内蔵枕３０を収納して図１に示す形態に組み合わせた場合には、寝具用枕として使用することができる。
【００１９】
また、図２に示すように、組合せ寝具用枕１０から内蔵枕３０を取り出して、枕本体２０と内蔵枕３０とに分解した場合には、図４に示すように、枕本体２０は、その連続部２４側を上に、開口部２２側を下にして、当該連続部２４が座席Ａと人の腰部との空間部に位置するようにして配置すると、当該連続部２４が腰部の幅方向全体を支承すると共に、柱部２３が具合よく人の背骨部の個所に当接して人の腰部を支承するようになるので、腰枕として十分な機能を発揮することになる。また、内蔵枕３０は、人の首の後側から、内蔵枕３０の両端部３１ａ、３１ｂの間隙に人の首を挟み込むように挿入して中央開口部３２に人の首を位置させると共に当該両端部３１ａ、３１ｂに対向する内蔵枕３０の環状部３３を首の後ろ側に位置させることにより、首枕として十分な機能を発揮することになる。
【００２０】
したがって、当該組合せ寝具用枕１０は、列車やバスなどに長時間乗車しているときなどに、前記のように内蔵枕３０を首枕として使用し、枕本体２０を腰枕として使用すれば、乗車中の身体安定性が向上し、疲労度が軽減される。
【００２１】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２２】
１０・・組合せ寝具用枕
２０・・枕本体
２１・・枕本体における内蔵枕の収納空間部
２１’・凹部
２２・・開口部
２２’・ファスナー
２３・・枕本体の柱部
２４・・枕本体の連続部
３０・・内蔵枕
３１ａ・内蔵枕の端部
３１ｂ・内蔵枕の端部
３２・・中央開口部
３３・・環状部
Ａ・・・座席
【図１】
2017176433.tif 000003
【図２】
2017176433.tif 000004
【図３】
2017176433.tif 000005
【図４】
2017176433.tif 000006